(57)【要約】【課題】本発明は、画面に表示された文字又は図の色を変更できる表示装置を提供する。【解決手段】  文字又は図等を表示する液晶モジュールと、該液晶モジュールに重ね合わせた第１調光フィルムと、該液晶モジュール及び第１調光フィルムに重ね合わせた第２調光フィルムを、を備え、前記第１調光フィルム及び前記第２調光フィルムは、所定の電圧が印加された場合、又は所定の電圧未満の電圧が印加された場合に、透光性のある第１の色の濃度が変更され、及び透光性のある第２の色の濃度が変更される。この結果、画面に表示された文字又は図の色を変更できる。【選択図】図１
2019203939.tif 000002
【特許請求の範囲】
【請求項１】
文字又は図等を表示する液晶モジュールと、
該液晶モジュールに重ね合わせた第１調光フィルムと、
該液晶モジュール及び第１調光フィルムに重ね合わせた第２調光フィルムを、を備え、
前記第１調光フィルム及び前記第２調光フィルムは、所定の電圧が印加された場合、又は所定の電圧未満の電圧が印加された場合に、透光性のある第１の色の濃度が変更され、及び透光性のある第２の色の濃度が変更されることを特徴とする表示装置。
【請求項２】
前記液晶モジュール、前記第１調光フィルム、及び前記第２調光フィルムに重ね合わせた第３調光フィルムを備えることを特徴とする請求項１に記載の表示装置。
【請求項３】
前記第３の調光フィルムは、所定の電圧が印加された場合に、又は所定の電圧未満の電圧が印加された場合に、透明から透光性のある第３の色に着色されることを特徴とする請求項２に記載の表示装置。
【請求項４】
前記第１の色、前記第２の色、及び前記第３の色は、赤、青、緑の三原色のいずれかの色で構成されることを特徴とする請求項３に記載の表示装置。
【請求項５】
前記第１調光フィルム、前記第２調光フィルム、及び前記第３調光フィルムは、それぞれ、電源に対して並列に接続されており、電源と各調光フィルタとの間に接続された各スイッチにて、電圧を印加又は遮断できる事を特徴とする請求項２に記載の表示装置。
【発明の詳細な説明】
【技術分野】
【０００１】
本発明は、調光フィルムを重ね合わせた液晶モジュール等を備えた表示装置に関する。
【背景技術】
【０００２】
従来から、ディスプレイ（所謂、液晶モジュール）に調光フィルムを重ね合わせた端末が知られている。例えば、特許文献１には、白色の端末のディスプレイスクリーンが動作しているとき、又は動作していないときに調光フィルムを透明、又は不透明にすることが開示されている。
【０００３】
具体的には、特許文献１に、ディスプレイスクリーンが動作しているとき（所謂、利用者が端末を使用しているとき）に、調光フィルムに所定の大きさのコントロール電圧を印加し、調光フィルムを透明にすることで、ディスプレイスクリーンに表示された文字又は図をそのまま表示する事が開示されている。また、特許文献１に、ディスプレイスクリーンが動作していないとき（所謂、利用者が端末を使用していないとき）に、調光フィルムに所定の大きさよりも小さいコントロール電圧を印加し、調光フィルムを不透明である白色にし、ディスプレイスクリーンの色を白色に変更することが開示されている。これにより、利用者の色のデザイン要求を満たすことが可能となる。
【先行技術文献】
【特許文献】
【０００４】
【特許文献１】特表２０１７−５３７５０４号公報
【発明の概要】
【発明が解決しようとする課題】
【０００５】
しかしながら、特許文献１の端末は、調光フィルムを透明又は不透明にすることで、ディスプレイスクリーンに表示された文字又は図をそのまま表示し、又はディスプレイスクリーンの色を白色に変更するだけであり、液晶モジュールを備えた表示装置の画面に表示された文字又は図の色を変更することはできなかった。
【０００６】
本発明は、画面に表示された文字又は図の色を変更できる表示装置を提供する事を目的とする。
【課題を解決するための手段】
【０００７】
上記目的を達成するために、請求項１に記載の発明に係る表示装置は、文字又は図等を表示する液晶モジュールと、該液晶モジュールに重ね合わせた第１調光フィルムと、該液晶モジュール及び第１調光フィルムに重ね合わせた第２調光フィルムを、を備え、前記第１調光フィルム及び前記第２調光フィルムは、所定の電圧が印加された場合、又は所定の電圧未満の電圧が印加された場合に、透光性のある第１の色の濃度が変更され、及び透光性のある第２の色の濃度が変更される。
【０００８】
請求項２に記載の発明に係る表示装置において、前記液晶モジュール、前記第１調光フィルム、及び前記第２調光フィルムに重ね合わせた第３調光フィルムを備える。
【０００９】
請求項３に記載の発明に係る表示装置において、前記第３の調光フィルムは、所定の電圧が印加された場合に、又は所定の電圧未満の電圧が印加された場合に、透明から透光性のある第３の色に着色される。
【００１０】
請求項４に記載の発明に係る表示装置において、前記第１の色、前記第２の色、及び前記第３の色は、赤、青、緑の三原色のいずれかの色で構成される。
【００１１】
請求項５に記載の発明に係る表示装置において、前記第１調光フィルム、前記第２調光フィルム、及び前記第３調光フィルムは、それぞれ、電源に対して並列に接続されており、電源と各調光フィルタとの間に接続された各スイッチにて、電圧を印加又は遮断できる。
【発明の効果】
【００１２】
液晶モジュールは、文字又は図等を表示する。第１調光フィルムは、該液晶モジュールに重ね合わされる。第２調光フィルムは、該液晶モジュール及び第１調光フィルムに重ね合わされる。前記第１調光フィルム及び前記第２調光フィルムは、所定の電圧が印加された場合、又は所定の電圧未満の電圧が印加された場合に、透光性のある第１の色の濃度が変更され、及び透光性のある第２の色の濃度が変更される。この結果、画面に表示された文字又は図の色を変更できる。
【図面の簡単な説明】
【００１３】
【図１】本発明の実施形態に係る表示装置の全体形状図である。
【図２】本実施形態における画面の断面を示す図である。
【図３】本実施形態における画面の層を示す図である。
【図４】本実施形態における各調光フィルムの電気接続を示す回路図である。
【発明を実施するための形態】
【００１４】
［実施形態］
本発明の実施形態に係る表示装置１について説明する。表示装置１を説明するために、図１の手前方向を「表面」と、図１の奥方向を「裏面」と表現して説明する。
【００１５】
図１に示すように、表示装置１は、コレステリック液晶モジュールを備えた表示装置である。表示装置１は、操作部２及び画面３を備える。
【００１６】
操作部２は、利用者によって操作される。操作部２は、表示装置１の主電源のスイッチ、画面３に記載された文字又は図の色を変更するスイッチ、画面３のコンストラスト及び明るさを設定するスイッチ等を含む。
【００１７】
画面３には、文字又は図が表示される。画面３は、調光フィルム及びコレステリック液晶モジュールを備える。
【００１８】
図２及び図３を用いて画面３の具体的な構成を説明する。図２は、画面３の断面を示す図であり、図３は、画面３の層を示す斜視図である。画面３は、第１調光フィルム３１と、第２調光フィルム３２と、第３調光フィルム３３と、コレステリック液晶モジュール３４と、を備える。
【００１９】
図２に示すように、コレステリック液晶モジュール３４の表面に、第１調光フィルム３１、第２調光フィルム３２、及び第３調光フィルム３３の順番で各調光フィルムが重ね合わされる。
【００２０】
第１調光フィルム３１は、インジウム錫酸化物（所謂ＩＰＯ）膜がスパッタリングされた２枚の透明膜と、これらの透明膜間に配置された液晶、高分子化合物、促進剤、及び青色顔料で構成された高分子液晶と、を備える。
【００２１】
第１調光フィルム３１は、電気的接続されており、電圧が印加されていない場合、高分子液晶が透光性のある薄い青色に着色される。また、所定電圧が印加された場合、高分子液晶が透光性のある濃い青色に着色される。なお、透光性とは、フィルムが蛍光灯などの光源から発生した光を透す性質をいう。また透光率とは、フィルムが蛍光灯などの光源から発生した光をどのくらい透すのかを割合で表現したものであり、透光率の数値が大きいほど、光が透けるため、記載した文字又は図が明るい色で表示される。本実施形態で使用する各調光フィルムの透光率は、所定電圧を印加し濃い各色に着色されたときに７５％から８５％ぐらいまでである。
【００２２】
第２調光フィルム３２は、インジウム錫酸化物（所謂ＩＰＯ）膜がスパッタリングされた２枚の透明膜と、これらの透明膜間に配置された液晶、高分子化合物、促進剤、及び赤色顔料で構成された高分子液晶と、を備える。
【００２３】
第２調光フィルム３２は、電気的接続されており、電圧が印加されていない場合、高分子液晶が透光性のある薄い赤色に着色される。また、所定電圧が印加された場合、高分子液晶が透光性のある濃い赤色に着色される。
【００２４】
第３調光フィルム３３は、インジウム錫酸化物（所謂ＩＰＯ）膜がスパッタリングされた２枚の透明膜と、これらの透明膜間に配置された液晶、高分子化合物、促進剤、及び緑色顔料で構成された高分子液晶と、を備える。
【００２５】
第３調光フィルム３３は、電気的接続されており、電圧が印加されていない場合、高分子液晶が透光性のある薄い緑色に着色される。また、所定電圧が印加された場合、高分子液晶が透光性のある濃い緑色に着色される。
【００２６】
コレステリック液晶モジュール３４は、透明な基板と、黒色などの吸光背景で塗装された基板と、これらの基板間に配置されたコレステリック液晶と、記載された文字又は図を消去したいときに電圧をコレステリック液晶に印加するための駆動回路と、を備える。
【００２７】
図４は、第１調光フィルム３１、第２調光フィルム３２、第３調光フィルム３３の電気的接続を示す回路図である。第１調光フィルム３１は、スイッチ２１を介して電源４に電気的に接続されている。
【００２８】
第２調光フィルム３２は、第１調光フィルム３１に対して並列接続され、スイッチ２２を介して電源４に電気的に接続されている。
【００２９】
第３調光フィルム３３は、第１調光フィルム３１及び第２調光フィルム３２に対して並列接続され、スイッチ２３を介して電源４に電気的に接続されている。
【００３０】
スイッチ２１、スイッチ２２、スイッチ２３は、表示装置１に押しボタン式で備えられる。スイッチ２１、スイッチ２２、及びスイッチ２３は、全て同じ構成であるためスイッチ２１を用いて説明する。
【００３１】
利用者がスイッチ２１を１回押すと、スイッチ２１がオンとなり第１調光フィルム３１に電源４からの電圧が印加される。また、利用者がスイッチ２１を更に１回押すと、スイッチ２１がオフとなり第１調光フィルム３１に電源４からの電圧が遮断される。
【００３２】
＜本実施形態の使用形態＞
次に、本実施形態の使用形態について説明する。本使用形態は、利用者が表示装置１の操作部２の各種スイッチを操作したときの使用形態である。  
【００３３】
利用者が、表示装置１の表面にある画面にスタイラスペンを押し当てて文字又は図を記載すると、吸光背景の色の画面のうち、スタイラスペンで記載した文字又は図が、明るい反射色に変化する。これにより、利用者が記載した文字又は図が画面に表示される。
【００３４】
利用者が、表示装置１の操作部２のうちスイッチ２１を１回押すと、第１調光フィルム３１に電源４から電圧が印加され、第１調光フィルム３１が透光性のある濃い青色に着色される。これにより、明るい反射色で表示された文字又は図が、スイッチ２１を１回押した後、青色が抜けた色に変化し、表示される。
【００３５】
次に、利用者が、表示装置１の操作部２のうち、スイッチ２１を更に１回押すと、第１調光フィルム３１に電源４からの電圧が遮断され、第１調光フィルム３１が薄い青色に着色される。これにより、青色が抜けた色で表示された文字又は図が、スイッチ２１を更に１回押した後、元の明るい反射色に変化し、表示される。
【００３６】
利用者が、スタイラスペンで記載した後、表示装置１の操作部２のうち、スイッチ２１及びスイッチ２２をそれぞれ１回押すと、第１調光フィルム３１及び第２調光フィルム３２に電源４から電圧が印加される。電圧が印加されることで第１調光フィルム３１が透光性のある濃い青色に着色され、第２調光フィルム３２が透光性のある濃い赤色に着色される。これにより、明るい反射色で表示された文字又は図が、スイッチ２１及びスイッチ２２を１回押した後、青色及び赤色が抜けた色に変化し、表示される。
【００３７】
利用者が、スタイラスペンで記載した後、表示装置１の操作部２のうち、スイッチ２１、スイッチ２２、及びスイッチ２３をそれぞれ１回押すと、第１調光フィルム３１、第２調光フィルム３２、及び第３調光フィルム３３のそれぞれに電源４から電圧が印加される。電圧が印加されることで、第１調光フィルム３１が透光性のある濃い青色に着色され、第２調光フィルム３２が透光性のある濃い赤色に着色され、第３調光フィルム３３が透光性のある濃い緑色に着色される。
【００３８】
このため、第１調光フィルム３１、第２調光フィルム３２、及び第３調光フィルム３３のそれぞれが濃い各色に着色されると、１つの調光フィルムの透光率が８０％とした場合、３つの調光フィルムの透光率が５１％にまで悪化した黒色になり、文字又は図が見難くなる。
【００３９】
＜本実施形態の効果＞
本実施形態によれば、スイッチ２１、スイッチ２２、又はスイッチ２３を押した際に、記載した文字又は図の色を変更できる。この結果、文字又は図の色を変えたいときに電圧を印加し、文字又は図の色を変える必要がないときは、電圧を遮断する構成のため、電源の消費を抑える事ができる。
【００４０】
また、本実施形態によれば、スイッチ２１、スイッチ２２、及びスイッチ２３の全てを押した際に、スタイラスペンで記載した文字又は図を含む画面全体が透光性の悪い黒色になり、文字又は図が見難くなる。この結果、記載した文字又は図を消去することなく一時的に隠したい場合、全てのスイッチを押すことで文字又は図を隠すことができる。
【００４１】
本発明の実施形態について以上説明したが、本発明の趣旨を逸脱しない範囲において、当業者であれば種々の変更を加える事ができる。
【００４２】
（変形例１）
本実施形態において、表示装置１は、第１調光フィルム３１、第２調光フィルム３２、第３調光フィルム３３、及びコレステリック液晶モジュール３４を備える。この実施形態に代えて、表示装置１は、第１調光フィルム３１、第２調光フィルム３２及びコレステリック液晶モジュール３４のみを備えても良い。
【００４３】
（変形例２）
本実施形態において、表示装置１は、第１調光フィルム３１、第２調光フィルム３２、第３調光フィルム３３及びコレステリック液晶モジュール３４を備える。この実施形態に代えて、表示装置１は、第１調光フィルム３１、第２調光フィルム３２、第３調光フィルム３３及びコレステリック液晶モジュール３４に加えて第４調光フィルムを備えても良い。この場合に、第４調光フィルムには、黄色の顔料を含む。
【００４４】
（変形例３）
本実施形態において、表示装置１は、各調光フィルム及びコレステリック液晶モジュール３４を備える。この実施形態に代えて、表示装置１は、各調光フィルム及びコレステリック液晶モジュール以外の液晶モジュール、例えば、反射型液晶モジュール、透過型液晶モジュール、ＳＴＮ液晶モジュール、ＴＦＴ液晶モジュール、有機ＥＬモジュール等を備えても良い。この場合、表示装置１にパーソナルコンピュータを接続し、パーソナルコンピュータの画面に表示された画像を表示装置１の画面３に表示させても良い。
【００４５】
（変形例４）
本実施形態において、第１調光フィルム３１、第２調光フィルム３２、及び第３調光フィルム３３の各調光フィルムは、電圧が印加されていない場合、薄い各色に着色され、所定の電圧が印加された場合、濃い各色に着色される。この実施形態に代えて、各調光フィルムには、電圧が印加されていない場合、濃い各色に着色され、所定の電圧が印加された場合、薄い各色に着色されても良い。
【００４６】
本実施形態において、コレステリック液晶モジュール３４に第１調光フィルム３１、第２調光フィルム３２、及び第３調光フィルム３３が重ね合わされている。この実施形態に代えて、透明なアクリル板又はガラス板の裏面に、第１調光フィルム３１、第２調光フィルム３２、及び第３調光フィルム３３が重ね合わされていても良い。この場合、ホワイトボード等のように、利用者がアクリル板又はガラス板の表面にマーカ等で文字又は図を記載できる。また、利用者が裏面の各調光フィルムに接続されたスイッチ全てを１回押すことで、裏面が透光性の悪い黒色になり、記載された文字又は図を隠すことができる。
【符号の説明】
【００４７】
１・・・表示装置、２・・・操作部、２１、２２、２３・・・スイッチ、３・・・画面、３１・・・第１調光フィルム、３２・・・第２調光フィルム、３３・・・第３調光フィルム、３４・・・コレステリック液晶モジュール、４・・・電源
【図１】
2019203939.tif 000003
【図２】
2019203939.tif 000004
【図３】
2019203939.tif 000005
【図４】
2019203939.tif 000006